(57)【要約】  全自動洗濯機は筐体（１）および操作パネル台（２）を含み、前記操作パネル台（２）は筐体（１）上端の開口内に挿入される操作パネル台下部（２１）と、筐体（１）上端から露出する操作パネル台上部（２２）とを含む。操作パネル台上部（２２）および筐体（１）の高さの比率は０．０２〜０．０７であり；好ましくは、操作パネル台上部（２２）および筐体（１）の高さの比率は０．０３〜０．０６である。さらに、前記操作パネル台（２）は回の字状の構造であり、外周壁（２３）および内周壁（２４）を含む。外周壁（２３）および筐体（１）上端は組み合わせて接続され、内周壁（２４）の下端は筐体（１）内に延伸して、衣類投入口（２５）を形成する。外周壁（２３）および内周壁（２４）の高さの比率は０．２５〜０．５であり；好ましくは０．３〜０．４５である。本発明は、構造が簡単で、取付が便利であり、洗濯機全体が簡潔で美しく、視覚効果が良好な特徴を有する。【選択図】図１
2019502413.tif 000002
【特許請求の範囲】
【請求項１】
筐体および操作パネル台を含み、前記操作パネル台が、筐体上端の開口内に挿入される操作パネル台下部と、筐体上端から露出する操作パネル台上部とを含む全自動洗濯機であって、操作パネル台上部および筐体の高さの比率は０．０２〜０．０７であることを特徴とする、全自動洗濯機。
【請求項２】
操作パネル台上部および筐体の高さの比率が０．０３〜０．０６であることを特徴とする、請求項１に記載の全自動洗濯機。
【請求項３】
筐体および操作パネル台を含み、前記操作パネル台が、筐体上端の開口内に挿入される操作パネル台下部と、筐体上端から露出する操作パネル台上部とを含む全自動洗濯機であって、操作パネル台上部および操作パネル台下部の高さの比率が０．２〜１であることを特徴とする、全自動洗濯機。
【請求項４】
操作パネル台上部および操作パネル台下部の高さの比率が０．４〜０．８であることを特徴とする、請求項３に記載の全自動洗濯機。
【請求項５】
前記操作パネル台は回の字状の構造であり、外周壁および内周壁を含み、外周壁および筐体上端は組み合わせて接続され、内周壁の下端は筐体内に延伸して、衣類投入口を形成し、外周壁および内周壁の高さの比率は０．２５〜０．５であり；好ましくは０．３〜０．４５であることを特徴とする、請求項１〜４のいずれか１項に記載の全自動洗濯機。
【請求項６】
前記筐体上端が内側に曲がってフランジが形成され、操作パネル台上部の下端はフランジ上に組み立てられることを特徴とする、請求項１〜４のいずれか１項に記載の全自動洗濯機。
【請求項７】
前記筐体上端および操作パネル台上部の下端は、ネジおよび／または留め具により接続されることを特徴とする、請求項１〜４のいずれか１項に記載の全自動洗濯機。
【請求項８】
前記筐体上端の４つの角にそれぞれコーナープレートが設けられ、コーナープレートおよび操作パネル台上部の下端はネジおよび／または留め具により接続されることを特徴とする、請求項７に記載の全自動洗濯機。
【請求項９】
前記操作パネル台上部の周辺に装飾縁が設けられ、装飾縁および操作パネル台は留め具により接続され；好ましくは、装飾縁の内壁に上、下爪が設けられ、操作パネル台上部の周辺に爪と組み合わさる上、下溝が設けられることを特徴とする、請求項１〜４のいずれか１項に記載の全自動洗濯機。
【請求項１０】
洗濯機の上蓋は操作パネル台の上端面全体を覆うことを特徴とする、請求項１〜４のいずれか１項に記載の全自動洗濯機。
【発明の詳細な説明】
【技術分野】
【０００１】
本発明は洗濯機の分野に関し、特に洗濯機の高さを低くした全自動洗濯機である。
【背景技術】
【０００２】
全自動洗濯機は、一般的に洗濯機筐体、操作パネル台、外槽、内槽、パルセータ、伝動システムからなり、操作パネル台は洗濯機筐体の上部に取り付けられる。一般的に例えばＰＰ、ＡＢＳなどの高強度プラスチックが採用され、射出成形してなり、既存の洗濯機の操作パネル台の前方または後部に操作パネルが設けられる。操作パネル台は主に制御素子、すなわち制御盤、水位スイッチ、電源スイッチ、マイクロスイッチ、リードスイッチ、安全スイッチ、停止スイッチ、取水スイッチ、取水弁などの電気部品を固定し、取り付けるのに用いられ、さらに槽内に注水する注水口、消毒ケース、駆動装置が取り付けられる。操作パネル台の最上部に、一体構造または分離式折り畳み構造の上蓋が取り付けられる。
【０００３】
既存の洗濯機における操作パネル台の構成形式はすでに長年使用され、現在まで変わらず用いられているが、いくつかの欠点が存在している。１、操作パネル台が筐体上部から突出する高さが比較的高く、上部空間を占拠するため、洗濯機の高さが比較的高く、投入口から衣類を取り出すのが不便であり、見た目も劣る。２、筐体の接続部位は、筐体外部の縁に１周の環状溝が突出し、操作パネル台の接続環状台を環状溝内に嵌着して、操作パネル台および筐体を相互に接続する。このような接続の構成は筐体の外側に突出するため、同様に見た目が劣る欠点が存在し、突出した構造は周囲の空間を占有し、容易に衝突する。３、操作パネル台の内周壁後部は、垂直またはやや傾斜したバッフル構造であり、左右の側部とは面取り形状で移行する。これにより衣類の投入口は内槽上方の前半分のみであり、投入口は比較的小さく、衣類の取出、投入に不利である。
【０００４】
操作パネル台および洗濯機筐体の固定取付方式は３通りある。１つ目はネジによる固定、２つ目は留め具による固定、３つ目はネジによる固定および留め具による固定を組み合わせたものである。例えば、中国特許第９６２１３５５７．７号明細書は超小型洗濯機の筐体構造を開示し、射出成形した洗濯機上蓋、操作パネル台および筐体を含む。筐体は上、下の分離式であり、上部の上筐体および下筐体は、いずれも全体が射出成形された単層壁の構造である。操作パネル台および上筐体の結合部分の外径は、上筐体の内径と対応し、操作パネル台の外縁は上筐体の内壁に係着される。
【０００５】
既存技術の操作パネル台および洗濯機筐体の取付構造は、単にネジで固定すると、ネジが多いほど、操作パネル台および洗濯機筐体間の固定の程度は良好であるが、その取り付けおよび取り外しは煩わしく、さらに部品が増加する。他に、ネジの取付過程は工程が複雑で、労働力、労働時間を消耗し、コストが比較的高い。単に留め具で操作パネル台および洗濯機筐体を固定すると、構造は簡単で、取付工程は簡略化されるが、操作パネル台および洗濯機筐体間の固定の程度は比較的劣る。パルセータまたは内槽が回転するとき、操作パネル台および洗濯機筐体の間が緩むことがある。
【０００６】
しかし、ネジによる接続または留め具による接続に関わらず、操作パネル台および洗濯機筐体の接続部分に、いくつかの微小な隙間が存在するため、長時間使用する過程で、操作パネル台および洗濯機筐体の間にわずかに緩みが生じる。特に洗濯機が動作状態のとき、内槽またはパルセータの回転は、操作パネル台および洗濯機筐体の水平方向の緩みを容易に引き起こす。
【０００７】
このことを考慮して、特に本発明を示す。
【先行技術文献】
【特許文献】
【０００８】
【特許文献１】中国特許第９６２１３５５７．７号明細書
【発明の概要】
【発明が解決しようとする課題】
【０００９】
本発明が解決しようとする技術的問題は、既存技術の不足を克服することであり、高さを低くし、空間を節約し、操作パネル台および筐体間の接続を堅固にし、取付が便利な全自動洗濯機を提供する。
【課題を解決するための手段】
【００１０】
上記技術的問題を解決するため、本発明が採用する技術案の基本的な構想は以下の通りである。
本発明に記載する全自動洗濯機は筐体および操作パネル台を含み、前記操作パネル台は、筐体上端の開口内に挿入される操作パネル台下部と、筐体上端から露出する操作パネル台上部とを含む。操作パネル台上部および筐体の高さの比率は、０．０２〜０．０７である。
【００１１】
さらに、操作パネル台上部および筐体の高さの比率は０．０３〜０．０６である。
【００１２】
さらに、前記操作パネル台は回の字状の構造であり、外周壁および内周壁を含む。外周壁および筐体上端は組み合わせて接続され、内周壁の下端は筐体内に延伸して、衣類の投入口を形成する。外周壁および内周壁の高さの比率は０．２５〜０．５であり；好ましくは０．３〜０．４５である。
【００１３】
さらに、内周壁は鉢状構造であり、円周方向に滑らかに移行する。ラッパ口状の衣類投入口を形成し、内槽上部の開口のちょうど上方に位置する。衣類投入口の寸法を増大させ、衣類の投入に便利であり、循環、衣類洗濯、水の飛散に有利である。
【００１４】
好ましくは、該鉢状構造の内周壁および操作パネル台は分離式の構造であり、留め具またはネジにより操作パネル台の内周に取り付けられる。
【００１５】
本発明の前記操作パネル台の外周壁および筐体上端を組み合わせて接続し、前記操作パネル台上部を構成する。内周壁下端の筐体内に延伸する部分は、前記操作パネル台下部を構成する。
【００１６】
さらに、前記筐体上端が内側に曲がってフランジが形成され、操作パネル台上部の下端はフランジ上に組み立てられる。
【００１７】
さらに、前記フランジの内側が上に立ち上がった後、続けて内側に曲がって取付部が形成される。筐体の４つの角に対応する位置の取付部に切込を有し、切込の両側の取付部にコーナープレートを取り付けるネジ孔が設けられる。コーナープレートを切込に固定して取り付けることにより、洗濯機の吊棒が吊るされる。
【００１８】
さらに、前記取付部の内側が上に立ち上がり、操作パネル台を案内、定位する凸リブが形成され、これにより操作パネル台上部の下端はフランジ上に組み立てられる。
【００１９】
さらに、前記操作パネル台上部は前が低く、後が高い傾斜構造を呈し、前部および後部の高さの比率は０．３〜０．８である。
【００２０】
さらに、前記筐体上端および操作パネル台上部の下端は、ネジおよび／または留め具により接続される。
【００２１】
さらに、前記筐体上端の４つの角にそれぞれコーナープレートが設けられ、コーナープレートおよび操作パネル台上部の下端はネジおよび／または留め具により接続される。
【００２２】
さらに、前記操作パネル台上部の周辺に装飾縁が設けられ、装飾縁および操作パネル台は留め具により接続される。好ましくは、装飾縁の内壁に上、下爪が設けられ、操作パネル台上部の周辺に爪と組み合わさる上、下溝が設けられる。
【００２３】
さらに、装飾縁の外表面および筐体上端の外壁は滑らかに移行し、同一の垂直面に位置する。
【００２４】
さらに、洗濯機の上蓋は操作パネル台の上端面全体を覆う。
【００２５】
本発明に記載するもう１つの全自動洗濯機は筐体および操作パネル台を含み、前記操作パネル台は、筐体上端の開口内に挿入される操作パネル台下部と、筐体上端から露出する操作パネル台上部とを含む。操作パネル台上部および操作パネル台下部の高さの比率は、０．２〜１である。
【００２６】
さらに、操作パネル台上部および操作パネル台下部の高さの比率は０．４〜０．８である。
【００２７】
さらに、前記操作パネル台は回の字状の構造であり、外周壁および内周壁を含む。外周壁および筐体上端は組み合わせて接続され、内周壁の下端は筐体内に延伸して、衣類投入口を形成する。外周壁および内周壁の高さの比率は０．２５〜０．５であり；好ましくは０．３〜０．４５である。
【００２８】
さらに、内周壁は鉢状構造であり、円周方向に滑らかに移行する。ラッパ口状の衣類投入口を形成し、内槽上部の開口のちょうど上方に位置する。衣類投入口の寸法を増大させ、衣類の投入が便利であり、循環、衣類洗濯、水の飛散に有利である。
【００２９】
好ましくは、該鉢状構造の内周壁および操作パネル台は分離式の構造であり、留め具またはネジにより操作パネル台の内周に取り付けられる。
【００３０】
さらに、前記操作パネル台の外周壁および筐体上端を組み合わせて接続し、前記操作パネル台上部を構成する。内周壁下端の筐体内に延伸する部分は、前記操作パネル台下部を構成する。
【００３１】
さらに、前記筐体上端が内側に曲がってフランジが形成され、操作パネル台上部の下端はフランジ上に組み立てられる。
【００３２】
さらに、前記フランジの内側が上に立ち上がった後、続けて内側に曲がって取付部が形成される。筐体の４つの角に対応する位置のフランジに切込を有し、切込の両側の取付部にコーナープレートを取り付けるネジ孔が設けられる。コーナープレートを切込に固定して取り付けることにより、洗濯機の吊棒が吊るされる。
【００３３】
さらに、前記取付部の内側が上に立ち上がり、操作パネル台を案内、定位する凸リブが形成され、これにより操作パネル台上部の下端はフランジ上に組み立てられる。
【００３４】
さらに、前記操作パネル台上部は前が低く、後が高い傾斜構造を呈し、前部および後部の高さの比率は０．３〜０．８である。
【００３５】
さらに、前記筐体上端および操作パネル台上部の下端は、ネジおよび／または留め具により接続される。
【００３６】
さらに、前記筐体上端の４つの角にそれぞれコーナープレートが設けられ、コーナープレートおよび操作パネル台上部の下端はネジおよび／または留め具により接続される。
【００３７】
さらに、前記操作パネル台上部の周辺に装飾縁が設けられ、装飾縁および操作パネル台は留め具により接続される。好ましくは、装飾縁の内壁に上、下爪が設けられ、操作パネル台上部の周辺に爪と組み合わさる上、下溝が設けられる。
【００３８】
さらに、装飾縁の外表面および筐体上端の外壁は滑らかに移行し、同一の垂直面に位置する。
【００３９】
さらに、洗濯機の上蓋は操作パネル台の上端面全体を覆う。
【発明の効果】
【００４０】
上記技術案を採用すると、本発明は既存技術と比較して、以下の有益な効果を有する。
【００４１】
１、操作パネル台の筐体上部から露出する高さが比較的低いため、筐体の高さが変わらない状況で、洗濯機の高さを相対的に減少させ、ユーザが衣類を投入し、取り出すのに有利である。洗濯機全体の高さを変更しない状況の場合、槽体の高さを相対的に増加させ、洗濯機の容量が増大した。
２、操作パネル台は、内周壁の下端が筐体上端の開口内に挿入されて、衣類投入口が形成され、外周壁は筐体上端で支持されるため、占拠する筐体内部の空間は小さく、取付空間を節約し、洗濯機のその他の部品の取付に有利である。
３、筐体上端のフランジが操作パネル台の外周壁を支持、定位し、筐体の４つの角のコーナープレートおよび操作パネル台を固定して取り付けることを採用することにより、設計は合理的で、構造は簡単で、取付は便利であり、これにより製造および取付コストは低下する。
４、装飾縁の外表面および洗濯機の筐体は平らであり、筐体の外側に突出せず、外観はきれいであり、ユーザが配置するのに有利である。
５、鉢状の投入口の設計は投入口の寸法を拡大し、衣類の投入、取出しに有利である。
【図面の簡単な説明】
【００４２】
【図１】図１は、本発明の全自動洗濯機の概要図である。
【図２】図２は、図１のＡ−Ａ方向断面の部分概要図である。
【図３】図３は、本発明の全自動洗濯機の分解概要図である。
【図４】図４は、本発明の全自動洗濯機の側面図である。
【図５】図５は、本発明の全自動洗濯機における組立構造の概要図である。
【図６】図６は、操作パネル台および筐体のコーナープレートにおける取付構造の概要図である。
【図７】図７は、操作パネル台および筐体のコーナープレートにおける取付構造の概要図である。
【発明を実施するための形態】
【００４３】
以下、図を組み合わせて、本発明を実施するための形態について、さらに詳細に説明する。
【００４４】
実施例１
図１に示すように、本実施例に記載する全自動洗濯機は、筐体１および操作パネル台２を含む。前記操作パネル台２は、筐体１上端の開口内に挿入される操作パネル台下部２１と、筐体１上端から露出する操作パネル台上部２２とを含む。操作パネル台上部２２および筐体１の高さの比率ｈ：Ｈは０．０２〜０．０７であり、好ましくは、操作パネル台上部および筐体の高さの比率ｈ：Ｈは０．０３〜０．０６である。
【００４５】
実施例２
図２に示すように、本実施例に記載するもう１つの全自動洗濯機は、筐体１および操作パネル台２を含む。前記操作パネル台２は、筐体１上端の開口内に挿入される操作パネル台下部２１と、筐体１上端から露出する操作パネル台上部２２とを含む。操作パネル台上部２２および操作パネル台下部２１の高さの比率ｈ：ｈ’は０．２〜１であり、好ましくは、操作パネル台上部２２および操作パネル台下部２１の高さの比率ｈ：ｈ’は０．４〜０．８である。
【００４６】
実施例３
図５に示すように、本発明に記載する操作パネル台２は回の字状の構造であり、外周壁２３および内周壁２４を含む。外周壁２３および筐体上端は組み合わせて接続され、つまり操作パネル台上部２２である。内周壁２４の下端は筐体１内に延伸して、衣類投入口２５を形成し、内周壁２４の下端の筐体１内に延伸する部分が、前記操作パネル台下部２１である。外周壁２３および内周壁２４の高さの比率ｈ：（ｈ＋ｈ’）は０．２５〜０．５であり；好ましくはｈ：（ｈ＋ｈ’）は０．３〜０．４５である。
【００４７】
実施例４
図５に示すように、本実施例に記載する操作パネル台２の内周壁２４は鉢状構造であり、円周方向に滑らかに移行する。ラッパ口状の衣類投入口２５を形成し、内槽上部の開口のちょうど上方に位置する。衣類投入口の寸法を増大させ、衣類の投入に便利であり、循環、衣類洗濯、水の飛散に有利である。
【００４８】
好ましくは、該鉢状構造の内周壁２４および操作パネル台２は分離式の構造であり（図２を参照）、留め具またはネジにより操作パネル台２の内周に取り付けられる。
【００４９】
実施例５
図５に示すように、本実施例の前記操作パネル台上部２２は、外周壁２３の外側に装飾縁３が設けられ、装飾縁３および操作パネル台２は留め具により接続される。好ましくは、装飾縁３の内壁に上、下爪３１が設けられ、操作パネル台２の外周壁２３に、爪３１と組み合わさる上、下溝２３１が設けられる。
【００５０】
さらに、装飾縁３の外表面および筐体１上端の外壁は滑らかに移行し、同一の垂直平面に位置する（図２を参照）。
【００５１】
実施例６
図２および図５に示すように、本実施例に記載する筐体１の上端は、内側に曲がってフランジ１１が形成される。操作パネル台上部２２の下端はフランジ１１上に組み立てられ、ネジおよび／または留め具により接続される。
【００５２】
さらに、前記筐体１上端の４つの角部分にそれぞれコーナープレート４が設けられ、コーナープレート４および操作パネル台上部の下端はネジおよび／または留め具により接続される（図６および図７を参照）。
【００５３】
実施例７
図５に示すように、本実施例の前記筐体１上端におけるフランジ１１の内側が上に立ち上がった後、続けて内側に曲がって取付部１２が形成される。筐体１の４つの角に対応する位置のフランジ１１に切込１３を有し、切込１３の両側の取付部１２にコーナープレート４を取り付けるネジ孔１４が設けられる（図６を参照）。コーナープレート４を切込１３に固定して取り付けることにより、洗濯機の吊棒が吊るされる。
【００５４】
さらに、前記取付部１２の内側が上に立ち上がり、操作パネル台２を案内、定位する凸リブ１５が形成され（図５を参照）、これにより操作パネル台上部２２の下端は案内、定位され、フランジ１１上に組み立てられる。
【００５５】
実施例８
図６および図７に示すように、本実施例の操作パネル台２の外周壁２３は、筐体１前部の両側のコーナープレート４に対応して爪２５を有し、洗濯機前部の両側のコーナープレート４に溝が対応して設けられる。操作パネル台２の外周壁２３は、洗濯機筐体１前部の両側のコーナープレート４と留め具により接続される（図７を参照）。洗濯機筐体１後部の両側のコーナープレート４にネジ取付孔４１が設けられ、操作パネル台２および洗濯機筐体１後部の両側のコーナープレート４はネジにより接続される（図６を参照）。
【００５６】
実施例９
図３および図４に示すように、本実施例の前記操作パネル台上部２２は前が低く、後が高い傾斜構造を呈し、前部および後部の高さの比率ｈ１：ｈ２は０．３〜０．８である。好ましくは、操作パネル台上部２２前部の高さｈ１＝２５．３ｍｍ、後部の高さｈ２＝４０ｍｍ、操作パネル台下部２１の高さｈ’＝５２．５ｍｍ、筐体１の高さＨ＝８００ｍｍである。
【００５７】
実施例１０
図１および図２に示すように、本発明の洗濯機の上蓋５は操作パネル台２の上端面全体を覆う。該構造を操作パネル台２の構造と組み合わせることにより、洗濯機全体の構造はよりコンパクトで、簡単になる。好ましくは、洗濯機の制御ユニットは上蓋５に設けられる。
【００５８】
上記実施例中の実施案はさらに組み合わせるか、または置換することができ、さらに実施例は本発明の好ましい実施例を説明したに過ぎず、本発明の構想および範囲を限定しない。本発明の設計の発想を逸脱しない前提で、当業者が本発明の技術案に対して行う各種の変更および改良は、いずれも本発明の保護範囲に属する。
【図１】
2019502413.tif 000003
【図２】
2019502413.tif 000004
【図３】
2019502413.tif 000005
【図４】
2019502413.tif 000006
【図５】
2019502413.tif 000007
【図６】
2019502413.tif 000008
【図７】
2019502413.tif 000009
【国際調査報告】
2019502413.tif 000010
2019502413.tif 000011
2019502413.tif 000012
2019502413.tif 000013